(57)【特許請求の範囲】
【請求項１】
胴部２上端部から起立する容器体口頸部３外面へ装着させた上端面閉塞の蓋筒10と、該蓋筒周壁から突設する周壁破断用の開蓋リング20とを有し、上記蓋筒10は、容器体口頸部３上端面へ載置させた頂板11外周から周壁12を垂設して、該周壁を口頸部外面へ嵌合させると共に、周壁に上下一対の周方向への第１破断線15、15と、これら両破断線に連続する上下方向への第２破断線16とを、それぞれ形成し、上記開蓋リング20は、上下方向への第２破断線16に近接する蓋筒周壁12部分外面から弾性板21を起立し、かつ該弾性板上端部からリング状板22を頂板11上方へ突設して、該リング状板下面を蓋筒頂板11上面へ連結片23を介して連結し、上記容器体口頸部３の上方部外面を下向き段部４を介して大外径部に形成すると共に、該下向き段部より下方口頸部外面に複数の第１嵌合突条５を縦設し、上記蓋筒周壁12の上下方向中間部内面に周設した係合突条13上面を、上記下向き段部４下面へ係合させて抜出し不能に、かつ係合突条より下方蓋筒周壁12部分内面に複数の第２嵌合突条14を縦設して、該第２嵌合突条を上記第１嵌合突条５へ嵌合させて回動不能に設けたことを特徴とする再蓋不能キャップ。
【発明の詳細な説明】
【０００１】
【発明の属する技術分野】
本発明は容器体口頸部へ装着させるキャップに関し、特に、いったん開蓋した後は再度の閉蓋が不能な再蓋不能キャップに関する。
【０００２】
【従来の技術】
一般に、商品の流通経路においては容器体口頸部を閉塞するキャップは容易に開蓋できないように装着させられている。
【０００３】
【発明が解決しようとする課題】
しかし、商品の流通経路において開蓋困難に装着させられたキャップでも開蓋することは不可能ではなく、しかも、いったん開蓋したキャップを再度、閉蓋することも不可能ではなく、このため安全性の点から流通経路においていったん開蓋した後は再度の閉蓋が不能なキャップが望まれていた。
【０００４】
本発明は、開蓋に際しては、必然的にキャップが破断するようにして、開蓋後のリキャップを不能にしようとするものである。
【０００５】
【課題を解決するための手段】
第１の手段として、胴部２上端部から起立する容器体口頸部３外面へ装着させた上端面閉塞の蓋筒１０と、該蓋筒周壁から突設する周壁破断用の開蓋リング20とを有し、上記蓋筒１０は、容器体口頸部３上端面へ載置させた頂板11外周から周壁12を垂設して、該周壁を口頸部外面へ抜出し不能に、かつ回動不能に嵌合させると共に、周壁に上下一対の周方向への第１破断線15、15と、これら両破断線に連続する上下方向への第２破断線16とを、それぞれ形成し、上記開蓋リング20は、上下方向への第２破断線16に近接する蓋筒周壁12部分外面から弾性板21を起立し、かつ該弾性板上端部からリング状板22を頂板11上方へ突設して、該リング状板下面を蓋筒頂板11上面へ連結片23を介して連結した。
【０００６】
第２の手段として、上記第１の手段を有すると共に、上記容器体口頸部３の上方部外面を下向き段部４を介して大外径部に形成すると共に、該下向き段部より下方口頸部外面に複数の第１嵌合突条５を縦設し、
上記蓋筒周壁１２の上下方向中間部内面に周設した係合突条１３上面を、上記下向き段部４下面へ係合させ、かつ係合突条より下方蓋筒周壁１２部分内面に複数の第２嵌合突条１４を縦設して、該第２嵌合突条を上記第１嵌合突条５へ嵌合させた。
【０００７】
【発明の実施の形態】
以下、本発明に係る再蓋不能キャップの実施の形態を図面を参照しながら説明する。
本発明に係る再蓋不能キャップは、蓋筒と開蓋リングとからなる。
まず、キャップを装着させる容器体について説明すると、容器体１は胴部２上端部から口頸部３を起立し、かつ該口頸部の上方部外面を、下方小径のテーパ状下向き段部４を介して大外径部に形成すると共に、該下向き段部４より下方口頸部外面に複数の第１嵌合突条５を縦設し、さらに、口頸部３下端外面に外向きフランジ６を付設する。
【０００８】
１０は蓋筒で、容器体口頸部３上端面へ載置させた頂板１１外周から周壁１２を垂設して、該周壁を外向きフランジ６より上方口頸部分外面へ嵌合させ、かつ、周壁１２の上下方向中間部内面に周設した係合突条１３上面を、下向き段部４下面へ係合させると共に、係合突条１３より下方周壁１２部分内面に複数の第２嵌合突条１４を縦設して、該第２嵌合突条を第１嵌合突条５へ嵌合させる。
【０００９】
また、係合突条１３より上方周壁１２部分に、上下一対の周方向への第１破断線１５、１５と、周壁１２後部に位置して両破断線１５、１５に連続する上下方向への第２破断線１６とを、それぞれ形成する。
なお、上下一対の破断線１５、１５のうち、上方に位置する破断線は頂板１１との境界に、また、下方に位置する破断線は係合突条１３との境界に、それぞれ形成する。
また、頂板１１の中央部下面から短筒１７を垂設して、該短筒を容器体口頸部３内面へ嵌合させると共に、頂板１１中央部を円筒状に隆起させ、かつ該隆起部の前部を凹設して前面開放の指入れ凹部１８を形成する。
【００１０】
２０は開蓋リングで、上下一対の第１破断線１５、１５間の周壁１２部分外面から、第２破断線１６に近接させて弾性板２１を起立し、該弾性板上端部からリング状板２２を頂板１１上方へ突設し、かつ、該リング状板下面から連結片２３を垂下して、該連結片を頂板１１の外周部上面へ連結する。
【００１１】
次に本実施形態の作用について説明する。
開蓋するには、頂板１１の指入れ凹部１８から、リング状板２２前部下面に指を掛けてリング状板２２を持ち上げることにより、連結片２３を破断させてリング状板２２を頂板１１から分離させた後、リング状板２２を下方へ引いて第２破断線１６を破断させ、さらに、図１に示すようにリング状板２２を反時計方向へ引いて第１破断線１５、１５を破断させることによりリング状板２２を頂板１１と周壁１２とから分離させる。次いで、頂板１１を容器体口頸部３から離脱させて口頸部３から液体等を注出可能にする。
なお、蓋筒周壁１２は、第２嵌合突条１４を介して第１嵌合突条５へ嵌合しているため、リング状板２２を周方向へ引いても容器体口頸部外面上を回動することはない。
【００１２】
このように、開蓋させるには筒蓋周壁１２を破断させるほかなく、いったん破断させた筒蓋で再度容器体口頸部を閉塞させることは不可能である。また、周壁を破断させた後でも周壁下部は容器体口頸部へ残るため、開蓋の事実は容易に認識される。なお、頂板１１は短筒１７を口頸部３へ嵌合させているだけであるから、頂板１１のみで完全に閉蓋させることは困難であるばかりか、外観的にも開蓋の事実を隠蔽することは困難である。
【００１３】
【発明の効果】
本発明は、上面閉塞の蓋筒周壁を容器体口頸部へ抜出し不能に嵌合させたので、開蓋するには周壁を破断させなければならないが、いったん破断した蓋筒をリキャップすることは不可能であり、また、周壁を破断させても周壁下部は容器体口頸部へ残るため、流通経路における開蓋の事実を視認することは極めて容易である。
【図面の簡単な説明】
【図１】本発明に係る再蓋不能キャップの開蓋前の状態を示す斜視図。
【図２】同じく、図１のＡ−Ａ線に沿う断面図。
【図３】同じく、図１のＢ−Ｂ線に沿う断面図。
【図４】同じく、図１の平面図。
【図５】同じく、容器体口頸部の斜視図。
【符号の説明】
１  容器体
２  胴部
３  口頸部
４  下向き段部
５  第１嵌合突条
１０  蓋筒
１１  頂板
１２  周壁
１３  係合突条
１４  第２係合突条
１５  第１破断線
１６  第２破断線
２０  開蓋リング
２１  弾性板
２２  リング状板
２３  連結片
【図１】
0003839611.tif 000002
【図２】
0003839611.tif 000003
【図３】
0003839611.tif 000004
【図４】
0003839611.tif 000005
【図５】
0003839611.tif 000006